(57)【要約】【課題】損傷したデータがあった場合でも確実にデータコピーをすることが可能なデータコピー方法及び該装置を提供する。【解決手段】本発明の一実施形態に係る方法は、コピー対象データを変更し、欠陥を含むデータの一部分がダミーデータに代替される段階を含む方法である。例えば、データの欠陥ある部分は、コピー動作の間に感知され、コピー対象データは変更され、データの感知された欠陥ある部分がダミーデータに代替される。【選択図】図４
2010015573.tif 000002
【特許請求の範囲】
【請求項１】
データをコピーする方法であって、
欠陥を含むデータの部分がダミーデータに代替されるように、コピー対象データを変更する段階を含むことを特徴とするデータコピー方法。
【請求項２】
コピー動作中に、前記データの欠陥ある部分を感知する段階をさらに含み、
前記変更する段階は、前記コピー対象データを変更し、前記データの前記感知された欠陥ある部分をダミーデータに代替することを特徴とする請求項１に記載の方法。
【請求項３】
前記データは、ビデオデータを含むことを特徴とする請求項１に記載の方法。
【請求項４】
コピーのために変更されたデータを伝送する段階をさらに含むことを特徴とする請求項１に記載の方法。
【請求項５】
第１保存装置からのコピー対象データを読み取る段階と、
前記変更されたデータを第２保存装置に保存するために装置に伝送する段階とをさらに含むことを特徴とする請求項１に記載の方法。
【請求項６】
前記第１保存装置は、ハードディスクドライブであることを特徴とする請求項５に記載の方法。
【請求項７】
前記第１保存装置はビデオ記録装置の一部であり、前記データは、ビデオデータを含むことを特徴とする請求項５に記載の方法。
【請求項８】
前記第２保存装置はパソコンの一部であることを特徴とする請求項５に記載の方法。
【請求項９】
第１保存装置から前記コピー対象データを読み取る段階と、
前記変更されたデータを第２保存装置に保存する段階とをさらに含むことを特徴とする請求項１に記載の方法。
【請求項１０】
第１保存装置から前記コピー対象データを読み取る段階と、
前記データ保存部分とは異なる前記第１保存装置の部分に、前記変更されたデータを保存する段階をさらに含むことを特徴とする請求項１に記載の方法。
【請求項１１】
前記ダミーデータは、固定されたビットパターンであることを特徴とする請求項１に記載の方法。
【請求項１２】
第１保存装置から前記コピー対象データを読み取る段階と、
前記コピー対象データが欠陥を含んでいるか否かを感知する段階と、
前記コピー対象データが欠陥を含むということを表示する段階と、
前記表示する段階に対する応答を受信する段階と、
前記応答が変更に対する承認を表示するならば、前記変更する段階を行う段階とをさらに含むことを特徴とする請求項１に記載の方法。
【請求項１３】
前記変更されたデータを第２保存装置に保存のための装置に伝送する段階をさらに含むことを特徴とする請求項１２に記載の方法。
【請求項１４】
前記変更されたデータを第２保存装置に保存する段階をさらに含む請求項１２に記載の方法。
【請求項１５】
前記データを保存した部分と異なる前記第１保存装置の部分に、前記変更されたデータを保存する段階をさらに含むことを特徴とする請求項１２に記載の方法。
【請求項１６】
第１保存装置からデータファイルを読み取る段階として、前記データファイルは、前記コピー対象データを含む段階と、
前記データファイルの前記データの欠陥ある部分を感知する段階とをさらに含み、
前記変更する段階は、前記欠陥ある部分をダミーデータに代替することによって、前記データファイルにある前記データを変更し、変更されたデータファイルを生成することを特徴とする請求項１に記載の方法。
【請求項１７】
前記変更されたデータファイルを伝送する段階をさらに含むことを特徴とする請求項１６に記載の方法。
【請求項１８】
前記変更されたデータファイルを保存する段階をさらに含むことを特徴とする請求項１６に記載の方法。
【請求項１９】
前記保存する段階は、前記第１保存装置に前記変更されたデータファイルを保存することを特徴とする請求項１８に記載の方法。
【請求項２０】
前記変更されたデータファイルを伝送する段階をさらに含むことを特徴とする請求項１９に記載の方法。
【請求項２１】
前記変更されたデータファイルを伝送する段階をさらに含むことを特徴とする請求項１８に記載の方法。
【請求項２２】
前記保存する段階は、前記変更されたデータファイルを第２保存装置に保存することを特徴とする請求項１８に記載の方法。
【請求項２３】
前記コピー対象データを受信する段階をさらに含むことを特徴とする請求項１に記載の方法。
【請求項２４】
前記受信されたデータの欠陥ある部分を感知する段階をさらに含み、
前記変更する段階は、前記受信されたデータを変更し、前記受信されたデータの感知された欠陥ある部分が前記ダミーデータに代替されることを特徴とする請求項２３に記載の方法。
【請求項２５】
前記変更されたデータを保存する段階をさらに含むことを特徴とする請求項２４に記載の方法。
【請求項２６】
前記コピー対象データを受信する段階と、
前記コピー対象データが欠陥を含んでいるか否かを感知する段階と、
前記コピー対象データが欠陥を含むことを表示する段階と、
前記表示する段階に対する応答を受信する段階と、
前記応答が変更に対する承認を表示するならば、前記変更する変更する段階とをさらに含むことを特徴とする請求項１に記載の方法。
【請求項２７】
前記変更されたデータを保存する段階をさらに含むことを特徴とする請求項２６に記載の方法。
【請求項２８】
データファイルを受信する段階として、前記データファイルは、前記コピー対象データを含む段階をさらに含むことを特徴とする請求項１に記載の方法。
【請求項２９】
前記受信されたデータファイルの前記データの欠陥ある部分を感知する段階をさらに含み、
前記変更する段階は、前記受信されたデータファイルを変更し、変更されたデータファイルを生成し、前記受信されたデータファイルにある前記データの感知された欠陥ある部分が、前記変更されたデータファイルの前記ダミーデータに代替されることを特徴とする請求項２８に記載の方法。
【請求項３０】
前記変更されたデータファイルを保存する段階をさらに含むことを特徴とする請求項２９に記載の方法。
【請求項３１】
データをコピーする方法であって、
第１保存装置からコピーされたデータを受信する段階であり、前記データは、前記第１保存装置に保存された欠陥ある部分を代替するダミーデータの部分を含む段階と、
第２保存装置に前記受信されたデータを保存する段階とを含むことを特徴とする方法。
【請求項３２】
データを保存するように構成された保存装置と、
前記保存装置からのコピー対象データを変更し、欠陥を含む前記データの部分がダミーデータに代替されるように構成されたプロセッサとを含むことを特徴とする装置。
【請求項３３】
データを保存するように構成された保存装置と、
コピー対象データを変更し、欠陥を含む前記データの部分が前記保存装置に保存される前に、ダミーデータに代替されるように構成されたプロセッサとを含むことを特徴とする装置。
【発明の詳細な説明】
【技術分野】
【０００１】
本発明は、データまたはファイルのコピーに係り、さらに詳細には、オーディオ及び／またはビデオのデータあるいはファイルのコピーに関する。
【背景技術】
【０００２】
図１を参照すれば、オーディオ及び／またはビデオのデータ（オーディオ／ビデオデータ）は、例えば、カムコーダ１０を利用して記録されうる。カムコーダ１０に記録されたオーディオ／ビデオデータは、カムコーダ１０内のハードディスクドライブ１２のような保存装置に保存されうる。多くの場合、オーディオ／ビデオデータは、複数のファイルとしてハードディスクドライブ１２に保存される。ある場合には、カムコーダ１０のユーザがハードディスクドライブ１２に保存されたオーディオ／ビデオデータまたはファイルをパソコン１４に結合されているような異なる保存装置にコピーさせることを願うこともある。
【発明の概要】
【発明が解決しようとする課題】
【０００３】
しかしながら、コピー作業途中、ハードディスクドライブ１２は、損傷したデータに出くわすこともある。例えば、ハードディスクドライブ１２は、公知のエラー訂正技術を利用しても、訂正が不可能なデータに出くわすことがある。その場合、コピー作業は失敗する。コピーのなされているオーディオ／ビデオデータまたはファイルの一部のみ損傷した場合でも、全体コピー作業が失敗し、コピー対象オーディオ／ビデオのうち、何もコピーされないという問題がある。
【０００４】
そこで、本発明は、上記問題に鑑みてなされたものであり、本発明の目的とするところは、損傷したデータがあった場合でも確実にデータコピーをすることが可能な、新規かつ改良されたデータコピー方法及び該装置を提供することにある。
【課題を解決するための手段】
【０００５】
本発明のある観点では、コピー対象データを変更し、欠陥を含むデータの一部分がダミーデータに代替される段階を含む。例えば、前記データの欠陥ある部分はコピー動作の間に感知され、コピー対象データは変更され、データの感知された欠陥ある部分がダミーデータに代替される。
【０００６】
前記データは、第１保存装置から第２保存装置にコピーされうる。前記第１保存装置及び第２保存装置は、同一であるか異なる装置でもありうる（例、オーディオ／ビデオ装置）。欠陥感知は、前記第１保存装置または第２保存装置を含むオーディオ／ビデオ装置で行われうる。
【０００７】
本発明のある観点では、ユーザは、欠陥を通知されて変更動作を行うことによって、コピー動作を続けるか否かを指示する。
【０００８】
本発明のある観点では、コピーのための装置は、データを保存するように構成された保存装置、及び前記保存装置からのコピー対象データを変更し、欠陥を含むデータの部分がダミーデータに代替されるように構成されたプロセッサを含む。
【０００９】
本発明のある観点では、データを保存するように構成された保存装置、及びコピー対象データを変更し、欠陥を含む部分が前記保存装置に保存される前にダミーデータに代替されるように構成されたプロセッサを含む。
【００１０】
上記課題を解決するために、本発明のある観点によれば、データをコピーする方法であって、欠陥を含むデータの部分がダミーデータに代替されるように、コピー対象データを変更する段階を含むことを特徴とするデータコピー方法が提供される。
【００１１】
また、コピー動作中に、前記データの欠陥ある部分を感知する段階をさらに含み、前記変更する段階は、前記コピー対象データを変更し、前記データの前記感知された欠陥ある部分をダミーデータに代替するものであってもよい。
【００１２】
また、前記データは、ビデオデータを含むものであってもよい。
【００１３】
また、コピーのために変更されたデータを伝送する段階をさらに含むものであってもよい。
【００１４】
また、第１保存装置からのコピー対象データを読み取る段階と、前記変更されたデータを第２保存装置に保存するために装置に伝送する段階とをさらに含むものであってもよい。
【００１５】
また、前記第１保存装置は、ハードディスクドライブであってもよい。
【００１６】
また、前記第１保存装置はビデオ記録装置の一部であり、前記データは、ビデオデータを含むものであってもよい。
【００１７】
また、前記第２保存装置はパソコンの一部であってもよい。
【００１８】
また、第１保存装置から前記コピー対象データを読み取る段階と、前記変更されたデータを第２保存装置に保存する段階とをさらに含むものであってもよい。
【００１９】
また、第１保存装置から前記コピー対象データを読み取る段階と、前記データ保存部分とは異なる前記第１保存装置の部分に、前記変更されたデータを保存する段階をさらに含むものであってもよい。
【００２０】
また、前記ダミーデータは、固定されたビットパターンであってもよい。
【００２１】
また、第１保存装置から前記コピー対象データを読み取る段階と、前記コピー対象データが欠陥を含んでいるか否かを感知する段階と、前記コピー対象データが欠陥を含むということを表示する段階と、前記表示する段階に対する応答を受信する段階と、前記応答が変更に対する承認を表示するならば、前記変更する段階を行う段階とをさらに含むものであってもよい。
【００２２】
また、前記変更されたデータを第２保存装置に保存のための装置に伝送する段階をさらに含むものであってもよい。
【００２３】
また、前記変更されたデータを第２保存装置に保存する段階をさらに含むものであってもよい。
【００２４】
また、前記データを保存した部分と異なる前記第１保存装置の部分に、前記変更されたデータを保存する段階をさらに含むものであってもよい。
【００２５】
また、第１保存装置からデータファイルを読み取る段階として、前記データファイルは、前記コピー対象データを含む段階と、前記データファイルの前記データの欠陥ある部分を感知する段階とをさらに含み、前記変更する段階は、前記欠陥ある部分をダミーデータに代替することによって、前記データファイルにある前記データを変更し、変更されたデータファイルを生成するものであってもよい。
【００２６】
また、前記変更されたデータファイルを伝送する段階をさらに含むものであってもよい。
【００２７】
また、前記変更されたデータファイルを保存する段階をさらに含むものであってもよい。
【００２８】
また、前記保存する段階は、前記第１保存装置に前記変更されたデータファイルを保存するものであってもよい。
【００２９】
また、前記変更されたデータファイルを伝送する段階をさらに含むものであってもよい。
【００３０】
また、前記変更されたデータファイルを伝送する段階をさらに含むものであってもよい。
【００３１】
また、前記保存する段階は、前記変更されたデータファイルを第２保存装置に保存するものであってもよい。
【００３２】
また、前記コピー対象データを受信する段階をさらに含むものであってもよい。
【００３３】
また、前記受信されたデータの欠陥ある部分を感知する段階をさらに含み、前記変更する段階は、前記受信されたデータを変更し、前記受信されたデータの感知された欠陥ある部分が前記ダミーデータに代替されるものであってもよい。
【００３４】
また、前記変更されたデータを保存する段階をさらに含むものであってもよい。
【００３５】
また、前記コピー対象データを受信する段階と、前記コピー対象データが欠陥を含んでいるか否かを感知する段階と、前記コピー対象データが欠陥を含むことを表示する段階と、前記表示する段階に対する応答を受信する段階と、前記応答が変更に対する承認を表示するならば、前記変更する変更する段階とをさらに含むものであってもよい。
【００３６】
また、前記変更されたデータを保存する段階をさらに含むものであってもよい。
【００３７】
また、データファイルを受信する段階として、前記データファイルは、前記コピー対象データを含む段階をさらに含むものであってもよい。
【００３８】
また、前記受信されたデータファイルの前記データの欠陥ある部分を感知する段階をさらに含み、前記変更する段階は、前記受信されたデータファイルを変更し、変更されたデータファイルを生成し、前記受信されたデータファイルにある前記データの感知された欠陥ある部分が、前記変更されたデータファイルの前記ダミーデータに代替されるものであってもよい。
【００３９】
また、前記変更されたデータファイルを保存する段階をさらに含むものであってもよい。
【００４０】
また、上記課題を解決するために、本発明の別の観点によれば、データをコピーする方法であって、第１保存装置からコピーされたデータを受信する段階であり、前記データは、前記第１保存装置に保存された欠陥ある部分を代替するダミーデータの部分を含む段階と、第２保存装置に前記受信されたデータを保存する段階とを含むことを特徴とする方法が提供される。
【００４１】
また、上記課題を解決するために、本発明の別の観点によれば、データを保存するように構成された保存装置と、前記保存装置からのコピー対象データを変更し、欠陥を含む前記データの部分がダミーデータに代替されるように構成されたプロセッサとを含むことを特徴とする装置が提供される。
【００４２】
また、上記課題を解決するために、本発明の別の観点によれば、データを保存するように構成された保存装置と、コピー対象データを変更し、欠陥を含む前記データの部分が前記保存装置に保存される前に、ダミーデータに代替されるように構成されたプロセッサとを含むことを特徴とする装置が提供される。
【発明の効果】
【００４３】
本発明によれば、損傷したデータがあった場合でも確実にデータコピーをすることが可能となる。
【図面の簡単な説明】
【００４４】
【図１】１つの装置から他の装置にオーディオ／ビデオデータをコピーするための既存装置の配置を図示する図面である。
【図２】本発明の実施形態による装置構造の例示を図示する図面である。
【図３】図２の第１オーディオ／ビデオ装置及び第２オーディオ／ビデオ装置をさらに詳細に図示する図面である。
【図４】データをコピーする方法に係る実施形態を図示する図面である。
【図５】データをコピーする方法に係る実施形態を図示する図面である。
【図６】データをコピーする方法に係る実施形態を図示する図面である。
【図７】データをコピーする方法に係る実施形態を図示する図面である。
【図８】データをコピーする方法に係る実施形態を図示する図面である。
【図９】データをコピーする方法に係る実施形態を図示する図面である。
【発明を実施するための形態】
【００４５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００４６】
以下、実施形態について説明する。明瞭化のために、本明細書では、実際に具現される事項の特徴についていずれも説明するものではない。もちろん、実際の実施形態の開発においては、特定の決定が、システムに関連し、かつビジネスに関連する制限事項によって、開発者が特定目的をなすことができるようになされねばならないということを理解することができるであろう。また、かような開発努力が複雑であって時間を消耗するにもかかわらず、本発明の技術分野に属する当業者には、一般的な作業であるということを理解することができるであろう。
【００４７】
以下の説明で、本発明の全般的な理解のために、制限の目的ではなくして説明を目的にした特定構造、インターフェース、技術などについて説明する。しかし、本発明の当業者には、本発明が本明細書の説明から外れない範囲内で、その他の実施形態にも具現されうるということは明白である。ある場合には、本発明に係る不要な説明による混同を予防するために、公知の装置、回路及び方法の詳細な説明を省略した。本発明の特定例示だけではなく、あらゆる現象、側面及び実施形態は、本発明の構造的であって機能的な均等物をいずれも含む。また、かような均等物は、将来に開発されるものだけではなく、現在周知の均等物も含むのである。
【００４８】
代表実施形態が適切なコンピュータ／装置環境で具現されうるように議論されるであろう。必須なものではないが、代表実施形態が一つ以上のコンピュータプロセッサまたはＣＰＵによって遂行されるプログラムモジュールのように、コンピュータが行うことができる命令の一般的な内容で記述されうる。一般的に、プログラムモジュールまたは機能的手続きは、特定課題を遂行したり、または特定の抽象的なデータ種類を具現するルーチン、プログラム、対象、要素、データ構造などを含む。ここで議論するプログラムモジュール及び機能的手続きは、現存するハードウェア／装置を利用して具現されうる。
【００４９】
実施形態のうち一部及びそれに対応する詳細な説明は、コンピュータメモリ内のデータビット動作のソフトウェアまたはアルゴリズムの側面、及び代表的な例示として紹介されうる。このような説明及び例示は、当業者が容易に実施できるものである。ここで使われ、かつ一般的に使われるように、アルゴリズムとは、所望の結果を導き出す段階の一貫した順序として理解されうる。かような段階は、物理的な量を物理的に調節する必要があるものである。一般的に、必須的なものではないにしても、かかる量は、保存、伝達、合成、比較及びその他の調整が可能である光学的、電気的、または磁気的信号形態を取る。ときには、便宜、特に日常的使用という目的のために必要であるならば、かかる信号は、ビット、値、要素、シンボル、文字、項、数字と呼ばれたりもする。
【００５０】
しかし、それら及び類似した用語は、適切な物理的な量と結合され、かかる量に適用される便利な名称に過ぎないことを銘記せねばならない。特別の陳述がないならば、「処理」、「演算（compute）」、「計算（calculate）」、「決定」、「表示」のような単語は、コンピュータシステムのレジスタ及びメモリに物理、電気的量として表示されたデータを、コンピュータシステムのメモリまたはレジスタ、またはかような情報保存、伝送または表示装置内に物理的量として類似して表示された他のデータに変換するコンピュータシステム、またはこれと類似した電気演算装置の動作及び手続きを意味する。
【００５１】
本発明の特徴が具現されたソフトウェアは、一般的に、コンピュータで読み取り可能な媒体形式でエンコーディングされる。コンピュータで読み取り可能な媒体は、磁気的媒体（例えば、フロッピー（登録商標）ディスクまたはハードドライブ）、光学的媒体（例、ＣＤＲＯＭ（compact disk read only memory）、固体状態媒体（例えば、フラッシュメモリ）であるＲＯＭ（read-only memory）やＲＡＭ（random-access memory）などである。
【００５２】
第１、第２のような用語が多様な構成要素について説明するために使われたしても、かかる用語が構成要素を制限するための目的に使われたものではないことを理解することができるであろう。かかる用語は、構成要素を他の構成要素と互いに区別するための目的にのみ使われたものである。例えば、本発明の実施形態の範囲を外れないものであるならば、第１要素が第２要素と呼ばれ、同様に、第２要素が第１要素と呼ばれることも可能である。ここで使われた「及び／または」という用語は、関連して羅列された項目のうち、いずれか一つ及び一つ以上の意味を含む。
【００５３】
特定構成要素が他の構成要素に「連結」されていたり、「結合」されているとする場合、これは、他の構成要素に直接連結または結合されていることを意味したり、中間要素が介在されていることを意味すると理解することができる。反対に、特定構成要素が他の構成要素に「直接連結」または「直接結合」されているとする場合には、中間要素がないことを意味する。構成要素間の関係について説明するために使われたその他の単語も、同様の方式で解釈されねばならない（例えば、「間」、「直接的な間」、「隣接」、「直接的な隣接」など）。
【００５４】
ここで使われた用語は、特定実施形態について説明するための目的に使われ、発明の実施形態を制限しようという目的で使われたものではない。ここで使われるように、文脈上明らかにそうではない限り、単数で記載された構成要素は、複数形態も含む意図で使われている。「含む」、「含むところの」、「具備する」及び／または「具備するところの」のような用語がここで使われる場合、記載された特徴、整数、段階、動作、構成要素及び／または付属物を限定するが、一つ以上の特徴、整数、段階、動作、構成要素及び／または付属物が追加されることを回避するものではない。
【００５５】
いくつかの代案的な具現例で、記載された機能／動作は、図面に図示された順序と異なりうる。例えば、連続的に図示された２枚の図面は、関連機能／動作によって、実質的に同時になされたり、または順序が前後入れ替わって起こりうる。
【００５６】
実施形態は添付された図面を参照して説明する。図面には、多様な構造、システム及び装置の説明のみを目的に、さらに当業者に公知の事項と本発明との混同を防止するために、概略的に図示する。それにもかかわらず、添付された図面は、例示を記載して説明するように含まれる。適用可能である場合に、ここに使われた単語及び句（phrase）は、当業者によって分かる程度に一貫したほどの意味を有すると理解並びに解釈されねばならない。
【００５７】
図２は、本発明の実施形態による装置構造の例示を図示する。図２に図示されているように、第１保存装置１１０を具備する第１オーディオ／ビデオ装置１００は、第２保存装置２１０を具備する第２オーディオ／ビデオ装置２００に連結部３００を介して連結される。第１オーディオ／ビデオ装置１００は、第１保存装置１１０にオーディオデータ及び／またはビデオデータ（オーディオ／ビデオデータ）を保存するあらゆる種類の電子装置でありうる。例えば、第１オーディオ／ビデオ装置１００は、カムコーダ、デジタルカメラのようなオーディオ及び／またはビデオ獲得装置でありうる。従って、第１保存装置１１０は、ハードディスクドライブ、光学ディスク、フラッシュメモリ、磁気テープなどでありうる。オーディオ／ビデオ装置１００は、デジタルビデオレコーダのようなセットトップボックスでありうる。ここでは、第１保存装置１１０は、ハードディスクドライブ、光学ディスク、フラッシュメモリ、磁気テープなどでありうる。第１オーディオ／ビデオ装置１００はまた、保存装置、換言すれば、第１オーディオ／ビデオ装置１００が第１保存装置１１０でありうる。例えば、第１オーディオ／ビデオ装置１００は、ハードディスクドライブ、フラッシュメモリなどでありうる。第１オーディオ／ビデオ装置１００も、ＰＤＡ（personal data assistant）、携帯電話、ＭＰ３再生機、パソコン（ＰＣ）のような保存機能を有する他の種類の電子装置でありうる。ここでは、第１オーディオ／ビデオ装置１００は、ハードディスクドライブ、フラッシュメモリなどでありうる。
【００５８】
第２オーディオ／ビデオ装置２００は、第１オーディオ／ビデオ装置１００と関連して前述のあらゆる種類の電子装置でありうる。しかし、第１オーディオ／ビデオ装置１００に実際に連結された第２オーディオ／ビデオ装置２００は、第１オーディオ／ビデオ装置１００と同じ装置であってもよいし、異なる装置でもよいということを理解することができるであろう。例えば、本発明の一実施形態によれば、第１オーディオ／ビデオ装置１００及び第２オーディオ／ビデオ装置２００は、パソコンでありうる。本発明の他の実施形態によれば、第１オーディオ／ビデオ装置１００はカムコーダであり、第２オーディオ／ビデオ装置２００はパソコンでありうる。同様に、第２保存装置２１０は、第１保存装置１１０に関連して述べた保存装置でありうる。また、第２保存装置２１０が第１保存装置１１０と同じ装置であってもよいし、異なる保存装置であってもよいということを理解することができるであろう。
【００５９】
第１オーディオ／ビデオ装置１００及び第２オーディオ／ビデオ装置２００は、公知の方式で連結されうる。例えば、連結部３００は、ケーブルのような直接配線連結部、ブルートゥースのような直接無線連結部、ネットワーク（例えば、インターネット）のような間接連結部、無線ネットワークを介した無線連結のような間接連結部などでありうる。
【００６０】
図３は、図２の第１オーディオ／ビデオ装置及び第２オーディオ／ビデオ装置をさらに詳細に図示している。特に、図３は、第１オーディオ／ビデオ装置１００が、一般的に第１プロセッサ１２０を含んでいることを示す。第１プロセッサ１２０は、第１オーディオ／ビデオ装置１００に保存されたプログラミングによって、第１オーディオ／ビデオ装置１００の動作方法を行う。かかるプログラミングは、第１保存装置１１０または第１オーディオ／ビデオ装置１００の他の保存装置（図示せず）に保存されうる。例えば、第１プロセッサ１２０は、後述するところの本発明の実施形態によるデータまたはファイルのコピー方法を行うことができる。
【００６１】
第１オーディオ／ビデオ装置１００は、第１オーディオ／ビデオ装置１００と、第２オーディオ／ビデオ装置２００のような他の電子装置とのインターフェーシングのための第１インターフェース１３０を含む。第１オーディオ／ビデオ装置１００もまた、第１オーディオ／ビデオ装置１００の機能と結合された数多くの他の構成要素を含むことができることを理解することができるであろう。例えば、第１オーディオ／ビデオ装置１００がカムコーダであるならば、第１オーディオ／ビデオ装置１００も、撮像装置、表示装置（例えば、ディスプレイ装置）、ユーザ入力装置などを含むことができ、第１プロセッサ１２０は、受信したユーザ入力及びプログラミングによって、かかる構成要素の動作を制御できる。しかし、かかる構成要素が本発明の実施形態によるデータまたはファイルのコピー方法に直接的に関連してわけではないために、かかる構成要素は、明瞭化のために図示していない。
【００６２】
第１オーディオ／ビデオ装置１００と同様に、第２オーディオ／ビデオ装置２００は、第２プロセッサ２２０を含むことができる。第２プロセッサ２２０は、第２オーディオ／ビデオ装置２００に保存されているプログラミングによって、第２オーディオ／ビデオ装置２００の動作方法を行うことができる。かかるプログラミングは、第２保存装置２１０または第２オーディオ／ビデオ装置２００の他の保存装置（図示せず）に保存されうる。例えば、第２プロセッサ２２０は、後述するところの本発明の実施形態によるデータまたはファイルのコピー方法を一部を行うことができる。
【００６３】
第２オーディオ／ビデオ装置２００は、第２オーディオ／ビデオ装置２００と、第１オーディオ／ビデオ装置１００のような他の電子装置とのインターフェーシングのための第２インターフェース２３０を含む。第２オーディオ／ビデオ装置２００もまた、第２オーディオ／ビデオ装置２００の機能と結合された数多くの他の構成要素を含むことができることを理解することができるであろう。例えば、第２オーディオ／ビデオ装置２００がパソコンであるならば、第２オーディオ／ビデオ装置２００もまた、多様なチップセット、ディスクドライブ、表示装置（例えば、ディスプレイ装置）、ユーザ入力装置（例えば、マウス、キーボードなど）などを含むことができ、第２プロセッサ２２０は、受信されたユーザ入力及びプログラミングによって、かかる構成要素の動作を制御できる。しかし、かかる構成要素が、本発明の実施形態によるデータまたはファイルのコピー方法に直接的に関連しているわけではないために、かかる構成要素は、明瞭化のために図示していない。
【００６４】
図４は、データコピー方法の一実施形態を図示している。図４に図示された実施形態は、第１オーディオ／ビデオ装置１００または２オーディオ／ビデオ装置２００に組み入れられるか、または第１オーディオ／ビデオ装置１００及び第２オーディオ／ビデオ装置２００間に割り当てられうる。かかる多様な変形は、さまざまな実施形態による方法を参考にして詳細に後述する。説明することのみを目的に、図４の実施形態は、第１オーディオ／ビデオ装置１００に組み込まれるものとして述べる。
【００６５】
第１保存装置１１０に保存されたデータに対するコピー要請に対応し、Ｓ４０５段階で、第１プロセッサ１２０は、第１保存装置１１０からコピー対象データを読み取り、コピーされたデータの一部に欠陥が存在するか否かを感知する。欠陥が感知されるならば、Ｓ４１０段階で、第１プロセッサ１２０は、欠陥ある部分をダミーデータに代替することによって、欠陥がある部分を変更する（modify）。例えば、ダミーデータは、いずれも０，１及び１，０の所望するパターンでありうる。いかなる欠陥も感知されるものではないならば、コピー動作が従来方式で進められる。データコピー要請は、ファイルコピー要請でありうるが、ファイルコピー要請では、ファイルを構成するデータが読み取られる。そして、段階Ｓ４０５で、ファイルの欠陥ある部分が感知されるならば、段階Ｓ４１０で、第１プロセッサ１２０は、ファイルの欠陥ある部分をダミーデータに替えて変更する。かような方式で、コピーされているデータに欠陥が存在するとしても、コピー動作を続けて、そして完了する。
【００６６】
図５は、データコピー方法の他の実施形態を図示する。図５に図示された実施形態で、第１プロセッサ１２０は、データまたはファイルのコピー要請を受ける。かような要請は、第２オーディオ／ビデオ装置２００から第１インターフェース１３０を介して受信される。例えば、図３に図示されているように、第１オーディオ／ビデオ装置１００及び第２オーディオ／ビデオ装置２００は、連結されうる。第２オーディオ／ビデオ装置２００のユーザは、第１オーディオ／ビデオ装置１００からのデータまたはファイルのコピー要請を入力できる。第２プロセッサ２２０は、第２プロセッサ２２０、連結部３００、及び第１インターフェース１３０を介して、第１プロセッサ１２０にかような要請を伝送する。
【００６７】
それに対する応答として、第１プロセッサ１２０は、第１保存装置１１０から要請されたデータを読み取り、その後、段階Ｓ５１０で、コピー対象になるデータに欠陥ある部分が存在するか否かを決定する。欠陥が存在しないならば、段階Ｓ５１５で、データまたはファイルは、第２オーディオ／ビデオ装置２００に出力される。例えば、データまたはファイルは、第１インターフェース１３０を介して出力され、連結部３００を介して第２オーディオ／ビデオ装置２００に伝えられる。段階Ｓ５２０で、伝えられたデータまたはファイルは第２プロセッサ２２０が受信し、第２プロセッサ２２０は、伝えられたデータまたはファイルを第２保存装置２１０に保存させる。データまたはファイルの感知及び伝達がインクリメント（例えば、４ＫＢ）で起こりうることを理解することができるであろう。
【００６８】
段階Ｓ５１０で、第１プロセッサ１２０が欠陥が存在すると決定するならば、段階Ｓ５２５で、第１プロセッサ１２０が欠陥ある部分をダミーデータに代替することによって、欠陥ある部分を変更する。例えば、ダミーデータは、いずれも０，１及び１，０の所望するパターンでありうる。次に、段階Ｓ５１５で、データまたはファイルの変更された部分（すなわち、ダミーデータ）は、第２オーディオ／ビデオ装置２００に伝えられ、段階Ｓ５２０で、第２保存装置２１０に保存される。かような方式で、コピーされているデータに欠陥が存在するしても、コピー動作を続け、そして完了するのである。
【００６９】
図６は、データコピー方法のさらに他の実施形態を図示している。図６に図示された実施形態で、段階Ｓ６０５で、第１プロセッサ１２０は、例えば、第１保存装置１１０に保存されたデータまたはファイルのコピー要請を受信する。本例で、データまたはファイルは、第１保存装置１１０のＸ位置からＹ位置に保存される。かような位置は、論理アドレス、物理アドレスであることを理解することができるであろう。例えば、データまたはファイルは、第１保存装置１１０の異なる位置に割り当てられるのである。また、物理的に割り当てられるにしても、データまたはファイルは、連続的な論理アドレスを有することができる。本要請は、第２オーディオ／ビデオ装置２００から第１インターフェース１３０を介して受信されるのである。例えば、図３に図示されているように、第１オーディオ／ビデオ装置１００及び第２オーディオ／ビデオ装置２００は、連結されうる。第２オーディオ／ビデオ装置２００のユーザは、第１オーディオ／ビデオ装置１００からのデータまたはファイルのコピー要請を入力できる。第２プロセッサ２２０は、第２プロセッサ２２０、連結部３００及び第１インターフェース１３０を介して、第１プロセッサ１２０にかような要請を伝送できる。
【００７０】
段階Ｓ６１０で、第１プロセッサ１２０は、位置カウンターＣを位置Ｘに定め、読み取りトライアルカウンタＴを０に定め、段階Ｓ６１５で、位置カウンターＣによって表示される第１保存装置１１０の位置から要請されたデータを読み取る。段階Ｓ６２０で、第１プロセッサ１２０は、読み取りエラーが発生したか否かを決定する。データが欠陥などがある場合ならば、読み取りエラーが存在しうる。読み取りエラーが発生したならば、段階Ｓ６２５で、第１プロセッサ１２０は、読み取りトライアルカウンタＴを増加させ、段階Ｓ６３０で、第１プロセッサ１２０は、読み取りトライアルカウンタＴが臨界値ＴＨを超えているか否かを決定する。臨界値ＴＨは実験的に決定され、デザイン選択事項として決まりうる。例えば、本発明の一実施例で、臨界値は１００に決まる。もし読み取られた読み取りトライアルカウンタＴが臨界値ＴＨを超えるならば、第１プロセッサ１２０は、位置Ｃにあるデータが欠陥あることと決定する。結果的に、第１プロセッサ１２０は、ダミーデータを位置Ｃからのデータとして出力する。例えば、ダミーデータは、いずれも０，１及び１，０の所望パターンでありうる。図６に図示されていないが、第１プロセッサ１２０も、第１保存装置１１０で、位置Ｃを新しい位置に代替することができ、新しい位置に、ダミーデータを保存することができる。
【００７１】
さらに他の代案的な具現例において、段階Ｓ６４０で第１プロセッサ１２０は、第１保存装置１１０で位置Ｃを新しい位置に代替し、新しい位置のダミーデータを保存し、新しい位置からのダミーデータを読み取り、読み取られたダミーデータを第２オーディオ／ビデオ装置２００に出力できる。第２オーディオ／ビデオ装置２００で、受信されたデータは、第２保存装置２１０に保存される。
【００７２】
再び段階Ｓ６３０に戻れば、読み取られた読み取りトライアルカウンタＴが臨界値ＴＨを超えないならば、該過程は、第１プロセッサ１２０が再び位置Ｃでデータを読み取るトライアルを行う段階Ｓ６１５に戻る。
【００７３】
さらに段階Ｓ６２０に戻れば、読み取りエラーが存在しないならば、さらに段階Ｓ６５５で、第１プロセッサ１２０は、読み取られたデータを出力する。第２オーディオ／ビデオ装置２００で、受信された読み取られたデータは、第２保存装置２１０に保存される。段階Ｓ６５５及びＳ６４０後に、第１プロセッサ１２０は、位置カウンターＣが最後の位置Ｙと同じであるか否かを決定する。それにより、コピー動作が終了する。そうではないならば、段階Ｓ６５０で、位置カウンターＣが累積され、読み取られた読み取りトライアルカウンタＴが０にリセットされる。
【００７４】
前述の実施形態で、データまたはファイルの欠陥は、所定部分を１単位として感知される。欠陥ある部分は、ダミーデータに代替されたり変更されるので、コピー動作を続け、そして完了することができる。
【００７５】
図７は、データコピー方法のさらに他の実施形態を図示している。本実施形態で、段階Ｓ７０５で第１プロセッサ１２０は、データをコピーしたりファイルをコピーするように要請される。かような要請は、第２オーディオ／ビデオ装置２００から第１インターフェース１３０を介して受信されうる。例えば、図３に図示されているように、第１オーディオ／ビデオ装置１００及び第２オーディオ／ビデオ装置２００は、連結されうる。第２オーディオ／ビデオ装置２００のユーザは、第１オーディオ／ビデオ装置１００からのデータまたはファイルをコピーするように要請を入力できる。第２プロセッサ２２０は、第２プロセッサ２２０、連結部３００及び第１インターフェース１３０を介して、第１プロセッサ１２０にかような要請を伝送する。
【００７６】
それに対する応答として、第１プロセッサ１２０は、第１保存装置１１０から要請されたデータを読み取り、その後、段階Ｓ７１０で、コピー対象になるデータに欠陥ある部分が存在するか否かを決定する。欠陥が存在しないならば、当該過程がデータまたはファイルが第２オーディオ／ビデオ装置で出力される図５の段階Ｓ５１５に進められる。例えば、データまたはファイルは、第１インターフェース１３０を介して出力され、連結部３００を介して第２オーディオ／ビデオ装置２００に伝えられる。その後、段階Ｓ５２０で、伝えられたデータまたはファイルは第２プロセッサ２２０が受信し、第２プロセッサ２２０は、伝えられたデータまたはファイルを第２保存装置２１０に保存させる。データまたはファイルの感知及び伝達がインクリメント（例えば、４ＫＢ）で起こりうることを理解することができるであろう。
【００７７】
図７の段階Ｓ７１０で、第１プロセッサ１２０が欠陥が存在すると決定するならば、段階Ｓ７１５で、第１プロセッサ１２０は、第２オーディオ／ビデオ装置２００に欠陥が存在することを通知し、第２オーディオ／ビデオ装置２００が欠陥の訂正を願っているか否かを問い合わせ、コピー動作を続ける。例えば、かかる通知及び問い合わせは、第１インターフェース１３０、連結部３００及び第２プロセッサ２２０を介して、第２プロセッサ２２０に送られる。その後、第２プロセッサ２２０は、第２オーディオ／ビデオ装置２００のユーザにかような通知及び問い合わせを提供できる。例えば、第２オーディオ／ビデオ装置２００がパソコンであるならば、第２プロセッサ２２０は、かような通知及び問い合わせをディスプレイスクリーンにディスプレイできる。第２プロセッサ２２０はまた、ユーザの応答を受信し、第１プロセッサ１２０に対する応答を第２プロセッサ２２０、連結部３００及び第１インターフェース１３０を介して伝送できる。
【００７８】
段階Ｓ７２０で、第１プロセッサ１２０は、受信された応答が、欠陥あるデータを訂正してコピー動作を続けることを表示しているか否かを決定する。そうであるならば、段階Ｓ７２５で、第１プロセッサ１２０は、欠陥ある部分をダミーデータに代替することによって、欠陥ある部分を変更する。例えば、ダミーデータは、いずれも０，１及び１，０の所望パターンでありうる。次に、段階Ｓ５１５で、データまたはファイル（すなわち、ダミーデータ）の変更された部分が第２オーディオ／ビデオ装置２００に伝えられ、段階Ｓ５２０で、第２保存装置２１０に保存される。かかる方式で、コピー対象データに欠陥が存在するにしても、コピー動作は続けられ、そして完了する。
【００７９】
段階Ｓ７２０で、受信された応答が欠陥あるデータを訂正してコピー動作を続けることを表示していない場合、コピー動作が終了される。かかる方式で、コピー動作を要請しているユーザは、欠陥あるデータが存在する場合に、コピー動作を続け、そして完了するか否かを制御できる。
【００８０】
前述の実施形態で、第１保存装置１１０からのデータを第２保存装置２１０にコピーする代わりに、本実施形態はまた、第１保存装置１１０の一部分からのデータを第１保存装置１１０の他の部分にコピーする場合にも適用されうる。代案として、第１オーディオ／ビデオ装置１００は、１個以上の保存装置を含むことができ、本実施形態は、第１オーディオ／ビデオ装置１００の１つの保存装置からのデータを第１オーディオ／ビデオ装置１００の他の保存装置にデータをコピーする場合にも適用されうる。
【００８１】
図８は、データをコピーする方法のさらに他の実施形態を図示している。本実施形態で、段階Ｓ８０５で、第１プロセッサ１２０は、データコピーまたはファイルコピー要請を受信する。かような要請は、第２オーディオ／ビデオ装置２００から第１インターフェース１３０を介して受信されうる。例えば、図３に図示されているように、第１オーディオ／ビデオ装置１００及び第２オーディオ／ビデオ装置２００は、連結されうる。第２オーディオ／ビデオ装置２００のユーザは、第１オーディオ／ビデオ装置１００からのデータまたはファイルのコピー要請を入力できる。第２プロセッサ２２０は、かような要請を第２プロセッサ２２０、連結部３００及び第１インターフェース１３０を介して、第１プロセッサ１２０に伝送する。
【００８２】
かような要請に対する応答として、段階Ｓ８１０で、第１プロセッサ１２０は、第１保存装置１１０から要請されたデータを読み取り、段階Ｓ８１５で、第２オーディオ／ビデオ装置２００に読み取られたデータまたはファイルを伝送する。例えば、データまたはファイルは、第１インターフェース１３０を介して出力され、連結部３００を介して第２オーディオ／ビデオ装置２００に伝えられる。
【００８３】
段階Ｓ８２０で、第２プロセッサ２２０は、欠陥ある部分が存在するか否かを決定する。欠陥が存在しないならば、段階Ｓ８２５で、第２プロセッサ２２０は、伝えられたデータまたはファイルを第２保存装置２１０に保存する。データまたはファイルのかかる読み取り、感知及び伝達は、インクリメント（例えば、４ＫＢ）で起こりうることを理解することができるであろう。
【００８４】
段階Ｓ８２０で、第２プロセッサ２２０が欠陥が存在することを決定するならば、段階Ｓ８３５で、第２プロセッサ２２０は、第１オーディオ／ビデオ装置１００に欠陥が存在すると通知する。例えば、かかる通知は、第２プロセッサ２２０、連結部３００及び第１インターフェース１３０を介して、第１プロセッサ１２０に伝えられる。その後、第１プロセッサ１２０は、欠陥あるデータを訂正する。すなわち、第１プロセッサ１２０は、欠陥ある部分をダミーデータに代替することによって、欠陥ある部分を変更する。例えば、ダミーデータは、いずれも０，１及び１，０の所望パターンでありうる。次に、段階Ｓ８４０で、データまたはファイル（すなわち、ダミーデータ）の変更された部分は、第２オーディオ／ビデオ装置２００に伝えられ、段階Ｓ８２５で、変更されたデータが第２保存装置２１０に保存される。かかる方式で、コピー対象データに欠陥が存在するにもかかわらず、コピー動作は続けられ、そして完了することができる。
【００８５】
図９は、データのコピー方法のさらに他の実施形態を図示したものである。本実施形態で、第２プロセッサ２２０は、データコピーまたはファイルコピー要請を第１オーディオ／ビデオ装置１００に伝送する。それに対する応答として、段階Ｓ９０５で、第２プロセッサ２２０は、第１保存装置１１０から読み取られたデータを受信し、段階Ｓ９１０で、データに欠陥ある部分が存在するか否かを決定する。欠陥が存在しないならば、段階Ｓ９１５で、データまたはファイルが第２保存装置２１０に保存される。データまたはファイルのかかる読み取り、感知及び保存がインクリメント（例えば、４ＫＢ）で起こりうることを理解することができるであろう。
【００８６】
段階Ｓ９１０で、第２プロセッサ２２０が欠陥が存在すると決定した場合であるならば、段階Ｓ９２０で、第２プロセッサ２２０は、欠陥ある部分をダミーデータに代替することによって、欠陥ある部分を変更する。例えば、ダミーデータは、いずれも０，１及び１，０の所望パターンでありうる。次に、段階Ｓ９１５で、データまたはファイルの変更された部分（すなわち、ダミーデータ）は、第２保存装置２１０に保存される。かかる方式で、欠陥がコピー対象データに存在するにしても、コピー動作は続けられ、そして完了するのである。
【００８７】
以上のように本発明について説明したが、多様な変形及び均等な他実施形態が可能であることは明白である。かような変形は、本発明の範囲を外れていると見なされるものではなく、かようなあらゆる変更は、本発明の範囲に含まれるものである。
【００８８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８９】
１０    カムコーダ
１２    ハードディスクドライブ
１００    第１オーディオ／ビデオ装置
１１０    第１保存装置
１２０    第１プロセッサ
１３０    第１インターフェース
２００    第２オーディオ／ビデオ装置
２１０    第１保存装置
２２０    第１プロセッサ
２３０    第２インターフェース
３００    連結部
【図１】
2010015573.tif 000003
【図２】
2010015573.tif 000004
【図３】
2010015573.tif 000005
【図４】
2010015573.tif 000006
【図５】
2010015573.tif 000007
【図６】
2010015573.tif 000008
【図７】
2010015573.tif 000009
【図８】
2010015573.tif 000010
【図９】
2010015573.tif 000011